(57)【要約】【課題】スクイズ操作の際に発生する音を低減するとともに、再資源化率の低下を抑制することが可能な二重容器を提供する。【解決手段】二重容器１は、内容物を収容し内容物の減少に伴い収縮可能な内容器２０と、内容器２０を内包する外容器１０とが剥離可能に積層された二重容器であって、外容器１０と内容器２０との間に、脂肪酸エステルを含有する中間層３０を備える。【選択図】図１
2020011739.tif 000002
【特許請求の範囲】
【請求項１】
内容物を収容し前記内容物の減少に伴い収縮可能な内容器と、前記内容器を内包する外容器とが剥離可能に積層された二重容器であって、
前記外容器と前記内容器との間に、脂肪酸エステルを含有する中間層を備える、
二重容器。
【請求項２】
前記外容器及び前記内容器は、ポリエチレンテレフタレート樹脂を用いて製造される、
請求項１に記載の二重容器。
【請求項３】
前記外容器及び前記内容器は、ボトル形状であり、
前記中間層は、前記外容器の肩部及び胴部と前記内容器の肩部及び胴部との間に備えられ、前記外容器の底部と前記内容器の底部との間に備えられない、
請求項１又は２に記載の二重容器。
【請求項４】
前記脂肪酸エステルは、トリアシルグリセロールである、
請求項１〜３の何れか１項に記載の二重容器。
【請求項５】
前記トリアシルグリセロールは、中鎖脂肪酸トリグリセリドである、
請求項４に記載の二重容器。
【請求項６】
前記中間層は、前記外容器又は前記内容器に対して環境応力破壊を生じさせる材料を含有しない、
請求項１〜５の何れか１項に記載の二重容器。
【請求項７】
内容物を収容し前記内容物の減少に伴い収縮可能な内容器と、前記内容器を内包する外容器とが剥離可能に積層された二重容器の製造方法であって、
前記外容器のプリフォームの内面及び前記内容器のプリフォームの外面の少なくとも一方に、脂肪酸エステルを含有する中間層を形成する層形成工程と、
前記外容器のプリフォーム及び前記内容器のプリフォームを前記外容器及び前記内容器に二軸延伸ブロー成形する成形工程と、
を有する二重容器の製造方法。
【発明の詳細な説明】
【技術分野】
【０００１】
本発明は、二重容器及びその製造方法に関する。
【背景技術】
【０００２】
液体調味料又は液体化粧品等の内容物を収容し、その鮮度を保持する容器として、デラミボトル、エアレスボトル又は積層剥離容器等と称される、二重容器が知られている（例えば、特許文献１）。
【０００３】
特許文献１に記載の二重容器は、外容器と内容器との間に流動パラフィンを含有する中間層を備えている。これにより、特許文献１に記載の二重容器は、外容器がスクイズ操作により押圧されて内容器が収縮する際に、内容器が外容器からスムーズに剥離する。また、外容器と内容器との間の中間層に含有される材料としては、例えば耐熱性シリコンオイルも知られている。
【先行技術文献】
【特許文献】
【０００４】
【特許文献１】特開２０１７−１８６０５９号公報
【発明の概要】
【発明が解決しようとする課題】
【０００５】
しかしながら、特許文献１では、スクイズ操作の際に発生する音を低減させることについて何ら検討されていない。また、流動パラフィン等を含有する中間層を備える二重容器は、リサイクル処理の洗浄工程において、中間層が外容器及び内容器から除去され難く、結果として再資源化率が低下する可能性がある。
【０００６】
本発明は、上述の事情に鑑みてなされたものであり、上述のような問題点を解決することを課題の一例とする。すなわち、本発明の課題の一例は、スクイズ操作の際に発生する音を低減するとともに、再資源化率の低下を抑制することが可能な二重容器を提供することである。
【課題を解決するための手段】
【０００７】
本発明に係る二重容器は、内容物を収容し前記内容物の減少に伴い収縮可能な内容器と、前記内容器を内包する外容器とが剥離可能に積層された二重容器であって、前記外容器と前記内容器との間に、脂肪酸エステルを含有する中間層を備える。
【０００８】
好適には、前記二重容器において、前記外容器及び前記内容器は、ポリエチレンテレフタレート樹脂を用いて製造される。
【０００９】
好適には、前記二重容器において、前記外容器及び前記内容器は、ボトル形状であり、前記中間層は、前記外容器の肩部及び胴部と前記内容器の肩部及び胴部との間に備えられ、前記外容器の底部と前記内容器の底部との間に備えられない。
【００１０】
好適には、前記二重容器において、前記脂肪酸エステルは、トリアシルグリセロールである。
【００１１】
好適には、前記二重容器において、前記トリアシルグリセロールは、中鎖脂肪酸トリグリセリドである。
【００１２】
好適には、前記二重容器において、前記中間層は、前記外容器又は前記内容器に対して環境応力破壊を生じさせる材料を含有しない。
【００１３】
本発明に係る二重容器の製造方法は、内容物を収容し前記内容物の減少に伴い収縮可能な内容器と、前記内容器を内包する外容器とが剥離可能に積層された二重容器の製造方法であって、前記外容器のプリフォームの内面及び前記内容器のプリフォームの外面の少なくとも一方に、脂肪酸エステルを含有する中間層を形成する層形成工程と、前記外容器のプリフォーム及び前記内容器のプリフォームを前記外容器及び前記内容器に二軸延伸ブロー成形する成形工程と、を有する。
【発明の効果】
【００１４】
本発明によれば、スクイズ操作の際に発生する音を低減するとともに、再資源化率の低下を抑制することが可能な二重容器を提供することができる。
【図面の簡単な説明】
【００１５】
【図１】本実施形態に係る二重容器の縦断面を模式的に示す図である。
【図２】本実施形態に係る二重容器を製造するための積層プリフォームの縦断面を模式的に示す図である。
【発明を実施するための形態】
【００１６】
以下、本発明の実施形態について、図面を参照しながら説明する。
【００１７】
本実施形態では、ボトル形状を有する二重容器１又は積層プリフォーム４００の中心軸Ｚに沿った方向を「軸方向」とも称し、中心軸Ｚを回転軸として周回する方向を「周方向」とも称し、中心軸Ｚに直交する方向を「径方向」とも称する。また、本実施形態では、二重容器１の口部３から底部６へ向かう軸方向を「下方」とも称し、二重容器１の底部６から口部３へ向かう軸方向を「上方」とも称する。また、本実施形態では、中心軸Ｚに沿った平面で二重容器１又は積層プリフォーム４００を切断した断面を「縦断面」とも称する。
【００１８】
［二重容器の構成］
図１は、本実施形態に係る二重容器１の縦断面を模式的に示す図である。
【００１９】
二重容器１は、ボトル形状を有する容器である。二重容器１は、図１に示されるように、二重容器１の一端部であり内容物が注出される口部３と、二重容器１の他端部であり接地面を有する底部６と、径方向外方に広がりながら口部３から下方へ延びる肩部４と、肩部４から下方に延びて底部６に連なる胴部５とを備える。
【００２０】
二重容器１は、二重容器１の外郭を構成し内容器２０を内包するボトル形状の外容器１０と、内容物を収容し内容物の減少に伴って収縮可能なボトル形状の内容器２０とを備える。更に、二重容器１は、外容器１０と内容器２０との間に中間層３０を備える。二重容器１は、外容器１０と内容器２０とが中間層３０を介して剥離可能に積層されたボトルである。
【００２１】
外容器１０及び内容器２０は、合成樹脂製の容器であり、ブロー成形によって製造される。好適には、外容器１０及び内容器２０は、試験管形状のプリフォームを用いた二軸延伸ブロー成形によって製造される。
【００２２】
外容器１０及び内容器２０は、ポリオレフィン系樹脂、エチレン−ビニル系共重合体、スチレン系樹脂、ビニル系樹脂、ポリアミド系樹脂、ポリエステル系樹脂、ポリカーボネート系樹脂、ポリフエニレンオキサイド樹脂、又は、生分解性樹脂を用いて製造される。好適には、外容器１０及び内容器２０は、ポリオレフィン系樹脂、又は、ポリエステル系樹脂を用いて製造される。より好適には、外容器１０及び内容器２０は、ポリエステル系樹脂を用いて製造される。このポリエステル系樹脂としては、例えば、ポリエチレンテレフタレート、ポリブチレンテレフタレート、ポリエチレンナフタレート、及び、これらの共重合ポリエステル等の樹脂が挙げられる。特に好適には、外容器１０及び内容器２０は、ポリエチレンテレフタレート樹脂を用いて製造される。
【００２３】
外容器１０は、底部６が接地して自立するように形成される。外容器１０は、自立した状態で、口部３、肩部４、胴部５及び底部６の形態が保持されるように形成される。外容器１０の肩部４及び胴部５は、スクイズ操作により押圧されると内方に撓んで変形し、押圧が解除されると押圧前の原形に復元するように形成される。
【００２４】
内容器２０は、内容物を収容する収容空間Ｓを有し、外容器１０に沿った形状を有するように形成される。内容器２０の肩部４及び胴部５は、内容物の減少に伴って収縮するよう、外容器１０よりも薄い肉厚を有するように形成される。
【００２５】
外容器１０の口部３には、外容器１０と内容器２０との間に外気を導入するための外気導入孔１１が設けられる。外気導入孔１１は、空気層Ａと連通するように設けられる。空気層Ａは、外容器１０と内容器２０とが剥離することによって形成される空間である。
【００２６】
内容器２０の口部３は、外容器１０の口部３の上端部から上方に突出するように配置されて、外容器１０の口部３に固定される。内容器２０の口部３には、逆止弁付きのキャップが装着される被装着部２１が設けられる。被装着部２１は、キャップが打栓式で装着可能となるよう、周方向に延びる突条によって構成される。或いは、被装着部２１は、キャップがねじ込み式で装着可能となるよう、螺旋状のねじ山又はねじ溝によって構成されてもよい。
【００２７】
中間層３０は、外容器１０の肩部４及び胴部５と内容器２０の肩部４及び胴部５との間に備えられており、外容器１０の底部６と内容器２０の底部６との間に備えられていない。中間層３０は、脂肪酸エステルを含有する。脂肪酸エステルは、スクイズ操作の際に外容器１０と内容器２０とが擦れ合うことで生じる摩擦を低減することができる。また、脂肪酸エステルは、滑剤としての機能を有する程度の粘性を有することから、二重容器１を製造する際に外容器１０と内容器２０とが熱圧着されても、スクイズ操作により内容器２０を外容器１０から容易に剥離させることができる。
【００２８】
また、脂肪酸エステルは、アルカリ性水溶液と反応することで、脂肪酸とアルコールとに加水分解される。この加水分解により、脂肪酸エステルを含有する中間層３０は、外容器１０及び内容器２０から確実に除去され得る。従来のＰＥＴ（Polyethylene terephthalate）ボトルのリサイクル処理における選別工程及び粉砕工程後の洗浄工程では、例えば９０℃の１．５重量％水酸化ナトリウム水溶液による１５分間の洗浄が行われる。外容器１０及び内容器２０がポリエチレンテレフタレート樹脂を用いて製造される場合、二重容器１は、この洗浄工程において中間層３０が確実に除去され得る。よって、二重容器１は、従来のＰＥＴボトルのリサイクル処理を適用するだけで、簡単に再資源化することができる。
【００２９】
二重容器１は、脂肪酸エステルが中間層３０を構成する材料全体に対して５０重量％以上含有される。また、二重容器１は、その１個当たりに形成される中間層３０の重量が１０ｍｇ以上である。これにより、二重容器１は、外容器１０の肩部４及び胴部５と内容器２０の肩部４及び胴部５との摩擦を十分に低減することができる。また、二重容器１は、その１個当たりに形成される中間層３０の重量が５００ｍｇ以下である。これにより、二重容器１は、中間層３０が口部３の外気導入孔１１から漏れ出すことを防止することができる。このように、二重容器１は、脂肪酸エステルが中間層３０を構成する材料全体に対して５０重量％〜１００重量％含有されると、好適である。また、二重容器１は、その１個当たりに形成される中間層３０の重量が１０ｍｇ〜５００ｍｇであると、好適である。
【００３０】
中間層３０に含有される脂肪酸エステルは、脂肪酸一価アルコールエステル、脂肪酸多価アルコールエステルの何れであってもよい。好適には、中間層３０に含有される脂肪酸エステルとしては、アルカリ性水溶液による加水分解による分子量の低下率が大きく、安価で入手容易であるという点から、脂肪酸三価アルコールエステルが使用される。また、脂肪酸三価アルコールエステルは、外容器１０又は内容器２０を形成する樹脂のモノマーとして使用されない。そのため、中間層３０に含有される脂肪酸三価アルコールエステルは、外容器１０又は内容器２０の性能に影響を与えない。さらに、脂肪酸三価アルコールエステルは、人体に対して有害とならない。このような点からも、中間層３０に含有される脂肪酸エステルとしては、脂肪酸三価アルコールエステルが好適に使用される。
【００３１】
中間層３０に含有される脂肪酸エステルを構成する脂肪酸は、炭素数が少ない低鎖脂肪酸（例えば炭素数６以下）、炭素数が中程度の中鎖脂肪酸（例えば炭素数８〜１２）、炭素数が多い長鎖脂肪酸（例えば炭素数１４以上）の何れでもよい。低鎖脂肪酸を用いて生成された脂肪酸エステルは、粘度が低いことから液垂れし易い。また、長鎖脂肪酸を用いて生成された脂肪酸エステルは、粘度が高いことから塗布し難い。これに対し、中鎖脂肪酸を用いて生成された脂肪酸エステルは、塗布し易く液垂れし難い適当な粘度を有する。このような点から、好適には、中間層３０に含有される脂肪酸エステルを構成する脂肪酸としては、中鎖脂肪酸が使用される。中間層３０に含有される脂肪酸エステルを構成する中鎖脂肪酸としては、例えば、炭素数８のカプリル酸、炭素数１０のカプリン酸、又は、炭素数１２のラウリン酸が使用される。
【００３２】
中間層３０に含有される脂肪酸一価アルコールエステルとしては、例えば、脂肪酸メチルエステル、脂肪酸ブチルエステル、脂肪酸オクチルエステル、又は、脂肪酸イソプロピルエステルが使用される。中間層３０に含有される脂肪酸一価アルコールエステルのうち、好適には、中鎖脂肪酸一価アルコールエステルが使用される。中間層３０に含有される中鎖脂肪酸一価アルコールエステルとしては、例えば、カプリル酸メチルエステル、カプリン酸メチルエステル、ラウリン酸メチルエステル、カプリル酸ブチルエステル、カプリン酸ブチルエステル、ラウリン酸ブチルエステル、カプリル酸オクチルエステル、カプリン酸オクチルエステル、ラウリン酸オクチルエステル、カプリル酸イソプロピルエステル、カプリン酸イソプロピルエステル、又は、ラウリン酸イソプロピルエステルが使用される。
【００３３】
中間層３０に含有される脂肪酸二価アルコールエステルとしては、例えば、エチレングリコール脂肪酸エステル、ジエチレングリコール脂肪酸エステル、トリエチレングリコール脂肪酸エステル、又は、プロピレングリコール脂肪酸エステルが使用される。中間層３０に含有される脂肪酸二価アルコールエステルのうち、好適には、中鎖脂肪酸二価アルコールエステルが使用される。中間層３０に含有される中鎖脂肪酸二価アルコールエステルとしては、例えば、エチレングリコールモノカプリル酸エステル、エチレングリコールジカプリル酸エステル、エチレングリコールモノカプリン酸エステル、エチレングリコールジカプリン酸エステル、エチレングリコールモノラウリン酸エステル、又は、エチレングリコールジラウリン酸エステルが使用される。また、中間層３０に含有される中鎖脂肪酸二価アルコールエステルとしては、例えば、ジエチレングリコール、トリエチレングリコール、又は、プロピレングリコールの二価アルコールと中鎖脂肪酸との中鎖脂肪酸二価アルコールエステルが使用される。
【００３４】
中間層３０に含有される脂肪酸三価アルコールエステルとしては、例えば、グリセリン脂肪酸エステル、又は、トリメチロールプロパン脂肪酸エステルが使用される。好適には、中間層３０に含有される脂肪酸三価アルコールエステルとしては、安価で入手が容易な点から、グリセリン脂肪酸エステルが使用される。中間層３０に含有されるグリセリン脂肪酸エステルは、モノアシルグリセロール、ジアシルグリセロール、トリアシルグリセロールの何れであってもよい。トリアシルグリセロールは、加水分解による分子量の低下率が大きい。また、トリアシルグリセロールは、加水分解によって脂肪酸基が１個又は２個離脱した状態になると界面活性剤の構造を有し、洗浄工程での洗浄効果を向上させることができる。また、トリアシルグリセロールは、安価で入手が容易である。このような点から、好適には、中間層３０に含有されるグリセリン脂肪酸エステルとしては、トリアシルグリセロールが使用される。
【００３５】
中間層３０に含有される脂肪酸三価アルコールエステルのうち、好適には、中鎖脂肪酸三価アルコールエステルが使用される。そのため、中間層３０に含有されるトリアシルグリセロールのうち、好適には、中鎖脂肪酸トリグリセリド（Medium Chain Triglyceride：ＭＣＴ）が使用される。中間層３０に含有される中鎖脂肪酸トリグリセリドとしては、例えば、グリセリントリカプリル酸エステル、グリセリントリカプリン酸エステル、又は、グリセリントリラウリン酸エステルが使用される。また、中間層３０に含有される脂肪酸多価アルコールエステルとしては、四価以上のアルコールを用いて生成されるものを使用してもよい。
【００３６】
中間層３０を構成する材料は、脂肪酸エステルと、その他の材料で構成される。但し、中間層３０を構成する材料には、二重容器１の外容器１０又は内容器２０に対して環境応力破壊（Environmental Stress Cracking：ＥＳＣ）を生じさせる材料が含有されない。環境応力破壊を生じさせる材料とは、外容器１０又は内容器２０に応力が加わった際に、外容器１０又は内容器２０に接触していると、クラック及びクレイズの発生並びに伝搬を引き起こし、外容器１０又は内容器２０を破壊させる材料をいう。このような環境応力破壊を生じさせる材料としては、例えば、アセトン、ｎへプタン、四塩化炭素、酢酸エチル、酢酸、アルカリ性水溶液、界面活性剤、四塩化亜鉛水溶液、シンナー類、又は、揮発性油脂が挙げられる。
【００３７】
［二重容器の製造方法］
図２は、本実施形態に係る二重容器１を製造するための積層プリフォーム４００の縦断面を模式的に示す図である。
【００３８】
積層プリフォーム４００は、外容器１０のプリフォームである外プリフォーム１００の中に、内容器２０のプリフォームである内プリフォーム２００を挿入して重ねた状態としたものである。図２に示す積層プリフォーム４００において、部分Ｍは、延伸成形されない部分であり、口部３に相当する部分である。また、部分Ｎは、延伸成形される部分であり、二軸延伸ブロー成形によって二重容器１の肩部４、胴部５及び底部６に成形される部分である。
【００３９】
二重容器１は、内プリフォーム２００の外面に中間層３０を形成する層形成工程と、外プリフォーム１００及び内プリフォーム２００を外容器１０及び内容器２０に二軸延伸ブロー成形する成形工程とを有する製造方法によって製造される。
【００４０】
層形成工程では、例えば次のような方法で中間層３０が形成される。内プリフォーム２００における口部３に相当する部分及び底部６に成形される部分の外面が、適当なマスク材でマスキングされる。次に、内プリフォーム２００における肩部４及び胴部５に成形される部分の外面に、中間層３０を構成する材料からなる塗布剤が付着される。これにより、内プリフォーム２００における肩部４及び胴部５に成形される部分の外面は、中間層３０によってコーティングされる。その後、内プリフォーム２００からマスク材が除去される。中間層３０を構成する材料からなる塗布剤を付着させる方法としては、例えばスプレー装置による噴霧、刷毛による塗布、又は、ディッピングが挙げられる。
【００４１】
なお、中間層３０を構成する材料からなる塗布剤は、内プリフォーム２００における肩部４及び胴部５に成形される部分の外面の一面に付着されなくてもよい。例えば、スプレー装置によって中間層３０を構成する材料からなる塗布剤を噴霧する場合、内プリフォーム２００における肩部４及び胴部５に成形される部分の外面において、中間層３０を構成する材料からなる塗布剤の液滴が付着している部分と付着していない部分とが混在していてもよい。この場合、後の成形工程での二軸延伸ブロー成形の際に、内プリフォーム２００の外面における塗布剤の付着部分が、外プリフォーム１００と内プリフォーム２００とに押圧されながら引き伸ばされる。
【００４２】
成形工程では、中間層３０が形成された内プリフォーム２００が、外プリフォーム１００に挿入され、外プリフォーム１００と内プリフォーム２００とが同時に外容器１０と内容器２０とに二軸延伸ブロー成形される。外プリフォーム１００と内プリフォーム２００との間には、脂肪酸エステルによる粘性を有する中間層３０が備えられている。このため、二重容器１は、二軸延伸ブロー成形によって外容器１０と内容器２０とが熱圧着されても、スクイズ操作が行われた際、内容器２０を外容器１０から容易に剥離させることができる。
【００４３】
なお、上述の層形成工程では、中間層３０は、内プリフォーム２００における肩部４及び胴部５に成形される部分の外面に形成されるが、これに代えて、外プリフォーム１００における肩部４及び胴部５に成形される部分の内面に形成されてもよい。或いは、中間層３０は、内プリフォーム２００における肩部４及び胴部５に成形される部分の外面と、外プリフォーム１００における肩部４及び胴部５に成形される部分の内面との両方に形成されてもよい。
【００４４】
また、上述の成形工程では、外プリフォーム１００と内プリフォーム２００とが同時に外容器１０と内容器２０とに二軸延伸ブロー成形されるが、これに代えて、外プリフォーム１００が外容器１０に二軸延伸ブロー成形された後、外容器１０の内部において、内プリフォーム２００が内容器２０に二軸延伸ブロー成形されてもよい。
【００４５】
［作用効果］
以上のように、本実施形態に係る二重容器１は、外容器１０と内容器２０との間に、脂肪酸エステルを含有する中間層３０を備える。このため、本実施形態に係る二重容器１は、外容器１０と内容器２０との摩擦が低減する。また、本実施形態に係る二重容器１は、中間層３０に含有される脂肪酸エステルがアルカリ性水溶液により加水分解されるため、中間層３０がリサイクル処理の洗浄工程で確実に除去され得る。よって、本実施形態に係る二重容器１は、スクイズ操作の際に発生する音を低減するとともに、再資源化率の低下を抑制することができる。脂肪酸エステルを含有する中間層３０を備えない従来の二重容器では、スクイズ操作の際に８０ｄＢ以上の音量の音を出すことがある。これに対し、本実施形態に係る二重容器１は、その音量を６０ｄＢ以下にまで低減させることができる。
【００４６】
更に、本実施形態に係る二重容器１は、外容器１０及び内容器２０がポリエチレンテレフタレート樹脂を用いて製造される。このため、本実施形態に係る二重容器１は、従来のＰＥＴボトルのリサイクル処理を適用するだけで、簡単に再資源化することができる。よって、本実施形態に係る二重容器１は、スクイズ操作の際に発生する音を低減するとともに、再資源化率の低下を簡単に抑制することができる。
【００４７】
更に、本実施形態に係る二重容器１は、中間層３０が、外容器１０の肩部４及び胴部５と内容器２０の肩部４及び胴部５との間に備えられ、外容器１０の底部６と内容器２０の底部６との間に備えられない。このため、本実施形態に係る二重容器１は、外容器１０の肩部４及び胴部５と、内容器２０の肩部４及び胴部５との摩擦が低減される。その一方、本実施形態に係る二重容器１は、外容器１０の底部６と内容器２０の底部６とが接合される。よって、本実施形態に係る二重容器１は、外容器１０の肩部４及び胴部５に対するスクイズ操作の際に発生する音を低減するとともに、再資源化率の低下を抑制することができる。また、本実施形態に係る二重容器１は、内容器２０の底部６が外容器１０の底部６から剥離して浮き上がることが抑制されるため、内容物の残留量を低減することができる。
【００４８】
更に、本実施形態に係る二重容器１は、中間層３０に含有される脂肪酸エステルとして、トリアシルグリセロールが使用される。このため、本実施形態に係る二重容器１は、トリアシルグリセロールが、アルカリ性水溶液による加水分解による分子量の低下率が大きく、洗浄効果を高めることができることから、リサイクル処理の洗浄工程において中間層３０がより確実に除去される。また、本実施形態に係る二重容器１は、トリアシルグリセロールが、安価で入手が容易である。よって、本実施形態に係る二重容器１は、スクイズ操作の際に発生する音を低減するとともに、再資源化率の低下を更に抑制することができる上、製造コストを抑制することができる。
【００４９】
更に、本実施形態に係る二重容器１は、中間層３０に含有されるトリアシルグリセロールとして、中鎖脂肪酸トリグリセリドが使用される。このため、本実施形態に係る二重容器１は、中鎖脂肪酸トリグリセリドが塗布し易く液垂れし難いことから、中間層３０を安定的に存在させることができる。よって、本実施形態に係る二重容器１は、スクイズ操作の際に発生する音を安定的に低減するとともに、再資源化率の低下を更に抑制することができる上、製造コストを抑制することができる。
【００５０】
更に、本実施形態に係る二重容器１は、中間層３０が、環境応力破壊を生じさせる材料を含有しない。このため、本実施形態に係る二重容器１は、外容器１０又は内容器２０が中間層３０によって破壊されることを抑制することができる。これにより、本実施形態に係る二重容器１は、外容器１０又は内容器２０の破壊による摩擦の発生を抑制することができる。また、本実施形態に係る二重容器１は、外容器１０又は内容器２０の破壊された部分に中間層３０が存在することを抑制することができる。その結果、本実施形態に係る二重容器１は、リサイクル処理の洗浄工程において外容器１０及び内容器２０から中間層３０がより確実に除去される。よって、本実施形態に係る二重容器１は、スクイズ操作の際に発生する音を安定的に低減するとともに、再資源化率の低下を更に抑制することができる。
【００５１】
本実施形態に係る二重容器１の製造方法は、外プリフォーム１００の内面及び内プリフォーム２００の外面の少なくとも一方に、脂肪酸エステルを含有する中間層３０を形成する層形成工程と、外プリフォーム１００及び内プリフォーム２００を外容器１０及び内容器２０に二軸延伸ブロー成形する成形工程とを有する。このため、本実施形態に係る二重容器１の製造方法は、二軸延伸ブロー成形という既存の成形工程の前に層形成工程を追加するだけで、外容器１０と内容器２０との間に中間層３０を備えた二重容器１を簡単に製造することができる。よって、本実施形態に係る二重容器１の製造方法は、スクイズ操作の際に発生する音を低減するとともに、再資源化率の低下を抑制可能な二重容器１を簡単に製造することができる。
【００５２】
［その他］
上述の実施形態において、二重容器１は、特許請求の範囲に記載された「二重容器」の一例に該当する。外容器１０は、特許請求の範囲に記載された「外容器」の一例に該当する。内容器２０は、特許請求の範囲に記載された「内容器」の一例に該当する。口部３は、特許請求の範囲に記載された「口部」の一例に該当する。肩部４は、特許請求の範囲に記載された「肩部」の一例に該当する。胴部５は、特許請求の範囲に記載された「胴部」の一例に該当する。底部６は、特許請求の範囲に記載された「底部」の一例に該当する。中間層３０は、特許請求の範囲に記載された「中間層」の一例に該当する。外プリフォーム１００は、特許請求の範囲に記載された「外容器のプリフォーム」の一例に該当する。内プリフォーム２００は、特許請求の範囲に記載された「内容器のプリフォーム」の一例に該当する。
【００５３】
上述の実施形態は、変形例を含めて各実施形態同士で互いの技術を適用することができる。上述の実施形態は、本発明の内容を限定するものではなく、特許請求の範囲を逸脱しない程度に変更を加えることができる。
【００５４】
上述の実施形態及び特許請求の範囲で使用される用語は、限定的でない用語として解釈されるべきである。例えば、「含む」という用語は、「含むものとして記載されたものに限定されない」と解釈されるべきである。「含有する」という用語は、「含有するものとして記載されたものに限定されない」と解釈されるべきである。「備える」という用語は、「備えるものとして記載されたものに限定されない」と解釈されるべきである。「有する」という用語は、「有するものとして記載されたものに限定されない」と解釈されるべきである。
【符号の説明】
【００５５】
１    二重容器
３    口部
４    肩部
５    胴部
６    底部
１０    外容器
１１    外気導入孔
２０    内容器
２１    被装着部
３０    中間層
１００    外プリフォーム
２００    内プリフォーム
４００    積層プリフォーム
Ａ    空気層
Ｓ    収容空間
Ｚ    中心軸
【図１】
2020011739.tif 000003
【図２】
2020011739.tif 000004